(57)【要約】【課題】便座１と、便座１を支持部において回動自在に支持している基台３とで構成されて便器４に対する取り付け位置を調整可能に構成している便座装置である。基台３を便器４に吸着固定する吸盤５を基台３に設けている。【解決手段】便座装置を便器に最適位置に取り付けながら、取り付け位置を安定化させる。【選択図】        図１
2004350784.tif 000002
【特許請求の範囲】
【請求項１】
便座と、便座を支持部において回動自在に支持している基台とで構成されて便器に対する取り付け位置を調整可能に構成している便座装置であって、基台を便器に吸着固定する吸盤を基台に設けていることを特徴とする便座装置。
【請求項２】
吸盤は、便器の前後方向に位置変更可能に構成されていることを特徴とする請求項１記載の便座装置。
【請求項３】
便座と、便座を支持部において回動自在に支持している基台とで構成されて便器に対する取り付け位置を調整可能に構成している便座装置であって、便器に便座装置を取り付ける取付け孔のピッチに合致する位置における基台の底部に便座の前後方向に長い溝を形成し、溝に頭部が保持されて移動自在にボルトが設けられ、ボルトに吸盤が挿通され、ボルトが便器の取付け孔に挿通され、便器の下方のボルト部分にナットが螺合されていることを特徴とする便座装置。
【請求項４】
吸盤を便器に押し付ける押付け部材が手動操作される操作レバーに連結されて設けられていることを特徴とする請求項１又は２記載の便座装置。
【請求項５】
吸盤の移動経路の両側部に突部を基台に設けていることを特徴とする請求項１又は２又は４に記載の便座装置。
【発明の詳細な説明】
【０００１】
【発明の属する技術分野】
本発明は、便座と、便座が回動自在に支持される支持部を備えた基台とで構成されて便器に位置調整可能に取り付けられる便座装置に関し、詳しくは、便座装置を便器に最適位置に取り付けながら、取り付け位置を安定化させようとする技術に係るものである。
【０００２】
【従来の技術】
従来、暖房便座装置や局部洗浄便座装置等のような便座装置は、使用者が座るための便座と、便座が回動自在に支持される支持部を備えた基台とで構成されている。
【０００３】
図７に示すように、便座装置Ａ’を便器４に取り付ける際に、基台３に便器４の長さ方向（前後方向）に溝６’、６’を形成し、溝６’に頭部２１をスライド自在に保持してボルト７を設け、ボルト７にゴム、エラストマ等の軟質材で形成したパッキンを挿通し、ボルト７を便器４の取付け孔８に挿通し、便器４の下方のボルト７部分にナット９を螺合して締め付けることで、便座装置Ａ’を便器４の最適位置において取り付けるのである。
【０００４】
更に、他の取り付け構造として、図８に示すように、前記ボルト７及びナット９を使って固定プレート３２を便器４に取り付け、便座装置Ａ’’の基台３に固定プレート嵌合部３３を形成し、固定プレート３２を固定プレート嵌合部３３にスライド自在に嵌合することで、便座装置Ａ’’を便器４に最適位置において取り付けるのである。
【０００５】
これらいずれの構成においても、使用者が便座４に座ったとき、或いは、トイレの清掃時に便座装置Ａ’、Ａ’’に手を突く等、荷重を掛けた場合、便器４に対して便座装置Ａ’、Ａ’’がスライドして移動しやすく、又、ぐらつく等使用者に不安を与える等の問題があった。
【０００６】
ところで、図９に示すように、和風便器にカバーを兼ねた腰掛け３４を被せる便器において、腰掛け３４の下面に吸盤５’を設けてトイレの床面３５に滑らないようにするものがある（例えば、特許文献１参照）。符号１３は便蓋である。
【０００７】
ところで、特許文献１においては、腰掛け３４を吸盤５’で床面に吸着させるものであり、和風便器のような便器に腰掛け３４が位置調整可能に直接取り付けられるものではなく、便器に便座装置を位置調整可能にして最適位置に取り付けながら、取り付け位置を安定的に確保するとの技術的思想が存在していないものである。
【０００８】
【特許文献１】
特開平１１−３２９４６号公報
【０００９】
【発明が解決しようとする課題】
本発明はこのような問題に鑑みてなされたものであり、便座装置を便器に最適位置に取り付けながら、取り付け位置を安定化させることができる便座装置を提供することを目的とするものである。
【００１０】
【課題を解決するための手段】
請求項１の発明においては、便座１と、便座１を支持部において回動自在に支持している基台３とで構成されて便器４に対する取り付け位置を調整可能に構成している便座装置であって、基台３を便器４に吸着固定する吸盤５を基台３に設けていることを特徴とするものである。
【００１１】
このような構成によれば、便座装置Ａは便器４に取り付け位置が調整されて取り付けられ、便座装置Ａを便器４に対して好適な位置に取り付けることができながら、取り付けられた基台３は吸盤５によって吸着固定され、取り付け後にスライドやふらつきを防止して取り付けを安定化させることができる。
【００１２】
この場合、吸盤５は、便器４の前後方向に位置変更可能に構成されていることが好ましい。
【００１３】
更に、請求項３の発明においては、便座１と、便座１を支持部において回動自在に支持している基台３とで構成されて便器４に対する取り付け位置を調整可能に構成している便座装置であって、便器４に便座装置Ａを取り付ける取付け孔８、８のピッチＰに合致する位置における基台３の底部に便座１の前後方向に長い溝６、６を形成し、溝６に頭部が保持されて移動自在にボルト７が設けられ、ボルト７に吸盤５が挿通され、ボルト７が便器４の取付け孔８に挿通され、便器４の下方のボルト７部分にナット９が螺合されていることを特徴とするものである。
このような構成によれば、請求項１の作用に加えて、吸盤５はボルト７に挿通されて保持されていて、吸盤５を設けたといえども便座装置Ａを便器４に取り付ける施工性を低下させることがない。
【００１４】
また、吸盤５を便器４に押し付ける押付け部材１１が手動操作される操作レバー１０に連結されて設けられていることが好ましく、このような構成によれば、操作レバー１０の手動操作によって押付け部材１１を吸盤５に押し付けたり、離したりすることができて吸盤５の吸着作用を手動にて操作がおこなえ、作業性を高めることができる。
【００１５】
また、吸盤５の移動経路の両側部に突部１２を基台３に設けていることも好ましく、このような構成によれば、便座装置Ａを便器４に位置調整して取り付けながら、位置調整に伴って移動される吸盤５を座屈させることがなく、吸盤５の機能を安定化させることができる。更に、突部１２を軟質材で形成することで、便器４に対する滑り止めを図ることができてよい。
【００１６】
【発明の実施の形態】
以下、本発明の実施の形態を説明する。図１は要部の分解斜視図である。図２は背面側からの要部の分解斜視図である。図３は部分拡大斜視図である。
【００１７】
本発明の便座装置Ａは、暖房便座装置や局部洗浄便座装置等のようなものであり、便座１と基台３とで構成され、基台３に形成した軸受けのような支持部に便座１や便蓋１３が枢軸において回動自在に支持されている。基台３に吸盤５が基台３の前後方向（便座装置Ａ及び便器４の前後方向）に位置変更可能となって保持され、便座装置Ａを便器４に取付け位置調整をして吸盤５を便器４の表面に吸着固定することで、便座装置Ａを便器４に最適位置に取り付けるようにしたものである。以下、基台３に吸盤５が位置変更可能に取り付けられる構成を詳述する。
【００１８】
図３に示すように、基台３の底面にはリップ片１４、１４を張り出して溝６が形成され、リップ片１４の下面には鋸刃状の係合部１５が形成されている。一方、吸盤５の主体部１６はゴムやエラストマ等の軟質材で形成され、主体部１６には硬質樹脂製で溝６にスライド自在に挿入される被保持片１７が形成され、被保持片１７に対向して位置決め片１８が形成され、位置決め片１８に位置決め用で鋸刃状の位置決め突起１９が形成されている。
【００１９】
このような構成によれば、吸盤５の被保持片１７を基台３の溝６に挿入して溝６内において適宜の位置にスライドさせ、例えば、既存の便器４の取付け孔８（図４参照）を避けるなどし、吸盤５の主体部１６を便器４の表面の適宜の位置に押圧して吸着するのであり、この場合、便座装置Ａは便器４の前後方向の位置調整がされ、かつ、吸盤５の位置決め片１８の位置決め突起１９が溝６のリップ片１４の係合部１５に係合して、便座装置Ａを便器４の最適位置へと吸着固定するのである。尚、吸盤５は溝６に複数個配設してもよく、溝６の本数を増すことができる。
【００２０】
このように、本発明においては、便座装置Ａは便器４に取り付け位置が調整されて取り付けられ、便座装置Ａを便器４に対して好適な位置に取り付けることができながら、取り付けられた基台３は吸盤５によって吸着固定され、取り付け後にスライドやふらつきを防止して取り付けを安定化させることができるのである。
【００２１】
図４は本発明の他の実施に形態を示し、上記実施の形態における吸盤５の被保持片１７及び位置決め片１９を省き、吸盤５の軟質の主体部１６に貫通孔２０を形成している。但し、基本的な構成は上記実施の形態と同一であり、同一の構成には同一の符号を付して説明は省略する。
【００２２】
便器４には便座装置Ａを取り付ける取付け孔８、８のピッチＰに合致する位置における基台３の底部に便座１の前後方向に長い溝６、６を形成している。ボルト７には略正方形の頭部２１が形成されて溝６にスライド自在に挿入されている。ボルト７に吸盤５が貫通孔２０において挿通され、ボルト７が便器４の取付け孔８に挿通され、便器４の下方のボルト７部分に半球パッキン２２が挿通され、ナット９が螺合されている。
【００２３】
このような構成によれば、便器４側のボルト７の頭部２１が溝６にスライドして便器４に対して便座装置Ａが最適位置に位置を調整して取付けながら、吸盤５が便器４の表面に吸着し、取り付け後にスライドやふらつきを防止して取り付けを安定化させ、かつ、吸盤５を設けたといえども便座装置を便器４に取り付ける施工性を低下させることがない。
【００２４】
図５及び図６は更に他の実施の形態を示し、本実施の形態においては、吸盤５の吸着機能を高めると共にその吸着機能を手動でコントロールして、便座装置Ａの取り付け及び取り外しを楽にしようとするものである。但し、基本的な構成は上記実施の形態と同一であり、同一の構成には同一の符号を付して説明は省略する。
【００２５】
図５（ａ）に示すように、便座装置Ａの基台３の底面には溝部材３７が取り付けられて溝開口に比べて奥が広い溝６が形成されている。吸盤５に形成した被押さえ片２３を溝６に挿入して便器４（便座装置Ａ）の前後方向への移動を可能にしている。基台３の内部には左右方向に長い軸状の操作連結部材２６が軸受２７にて支持され、操作連結部材２６に操作レバー１０が付設され、操作レバー１０を外から押し引き操作することで、操作連結部材２６を左右方向に移動可能にしている。操作連結部材２６には例えばゴムやエラストマ等の軟質材にて形成した押付け部材１１、１１が設けられている。押付け部材１１は溝部材３７の開口３８の範囲内で移動可能となっている。図６に示すように、吸盤５の軟質の主体部１６には軟質材にて上記被押さえ片２３が形成され、吸盤５の中心の軸部分２４には空気吸い込み孔２５が形成されている。
しかして、図５（ａ）に示すように、操作連結部材２６に設けた押付け部材１１を吸盤５の被押さえ片２３の上面にスライド移動可能に配設している。符号３６は開閉扉片であり、必要に応じて開閉させることができる。
【００２６】
このような構成により、図５（ａ）の想像線の位置の操作レバー１０を押し込み操作することで、押付け部材１１を被押さえ片２３の上面をスライドさせ、押付け部材１１が吸盤５の中心の軸部分２４に達すると空気吸い込み孔２５を閉じるとともに硬質の軸部分２４を介して吸盤５を便器４側に強く押圧し、内部の空気を排出して便座装置Ａを便器４に吸着固定するようにしている。
【００２７】
操作レバー１０を引き操作することで、押付け部材１１を吸盤５の空気吸い込み孔２５より外して吸盤５の軟質の主体部１６の復元作用によって内部に空気を導入し、吸盤５の吸着力を解除して便座装置Ａを便器４から楽に外せるようにしている。この場合、押付け部材１１が軟質材の被押さえ片２３の端部に位置して被押さえ片２３を撓ませて吸盤５が上方に移動して吸盤５の非吸引状態を維持するようにしている［図５（ｂ）参照］。又、操作連結部材２６の受座２８と軸受２７との間には引きばね２９を設けて押付け部材１１が吸盤５を便器４に押し付けている状態を維持できるようにしている。このように、押付け部材１１が吸盤５を便器４に押し付けている状態を維持する際に、操作連結部材２６に設けた突起３１を基台３側の軸受２７に設けた小円弧状の突起３０に係止するようにしている。ところで、操作連結部材２６側の突起３１が軸受２７側の突起３０を左右方向に乗り越えるのは、操作連結部材２６及び略Ｅ字状の軸受２７の弾性変位によるものである。
【００２８】
本実施の形態においては、吸盤５を便器４に押し付ける押付け部材１１が手動操作される操作レバー１０に連結されていて、操作レバー１０の手動操作によって押付け部材１１を吸盤５に押し付けたり、離したりすることができて吸盤５の吸着作用を手動にて操作がおこなえ、吸盤５を設けながら作業性を高めることができるのである。
【００２９】
更に、本実施の形態においては、吸盤５の移動経路の両側部に吸盤５の一定以上の座屈を防止する突部１２を形成していて、便座装置Ａを便器４に位置調整して取り付けながら、位置調整に伴って移動される吸盤５を座屈させることがなく、吸盤５の機能を安定化させることができるのである。この場合、突部１２をゴムやエラストマ等の軟質材を使用すると、便座装置Ａが便器４に滑りにくくなってよい。
【００３０】
【発明の効果】
請求項１の発明においては、便座装置は便器に取り付け位置が調整されて取り付けられ、便座装置を便器に対して好適な位置に取り付けることができながら、取り付けられた基台は吸盤によって吸着固定され、取り付け後にスライドやふらつきを防止して取り付けを安定化させることができる。
【００３１】
請求項３の発明においては、請求項１の効果に加えて、吸盤はボルトに挿通されて保持されていて、吸盤を設けたといえども便座装置を便器に取り付ける施工性を低下させることがない。
【図面の簡単な説明】
【図１】本発明の実施の一形態を示す要部の分解斜視図である。
【図２】同上の背面側からの要部の分解斜視図である。
【図３】同上の部分拡大分解斜視図である。
【図４】同上の他の実施の形態の分解斜視図である。
【図５】同上の更に他の実施の形態を示し、（ａ）は動作を示す概略断面図、（ｂ）は動作を示す部分概略断面図である。
【図６】同上の吸盤の断面図である。
【図７】従来例の分解斜視図である。
【図８】他の従来例の分解斜視図である。
【図９】更に他の従来例の分解斜視図である。
【符号の説明】
１    便座
３    基台
４    便器
５    吸盤
６    溝
７    ボルト
８    取付け孔
９    ナット
１０  操作レバー
１１  押付け部材
１２  突部
【図１】
2004350784.tif 000003
【図２】
2004350784.tif 000004
【図３】
2004350784.tif 000005
【図４】
2004350784.tif 000006
【図５】
2004350784.tif 000007
【図６】
2004350784.tif 000008
【図７】
2004350784.tif 000009
【図８】
2004350784.tif 000010
【図９】
2004350784.tif 000011